(57)【要約】【課題】【解決手段】  分岐エステル及び有機溶質を具えるステンレススチールクリーニング組成物であるクリーニング組成物。このクリーニング組成物の使用及び使用方法も、本発明の範囲に含まれる。【選択図】なし【特許請求の範囲】
【請求項１】
クリーニング組成物において、分岐エステル及び有機溶質を具えることを特徴とする、クリーニング組成物。
【請求項２】
ステンレススチールクリーニング組成物において、脂肪族アルコールと分岐脂肪酸のエステルを具えることを特徴とする、ステンレススチールクリーニング組成物。
【請求項３】
請求項２に記載のステンレススチールクリーニング組成物において、前記ステンレススチールクリーニング組成物が、更に溶質を具えることを特徴とする、ステンレススチールクリーニング組成物。
【請求項４】
請求項１から３のいずれか１項に記載のステンレススチールクリーニング組成物において、前記分岐エステルが、分岐脂肪酸及び多くの脂肪族アルコールから誘導されることを特徴とする、組成物。
【請求項５】
請求項２から４のいずれか１項に記載のステンレススチールクリーニング組成物において、前記脂肪族アルコール又は各脂肪族アルコールが、或いは５から２５の範囲の炭素鎖長を有することを特徴とする、ステンレススチールクリーニング組成物。
【請求項６】
請求項２から５のいずれか１項に記載のステンレススチールクリーニング組成物において、前記脂肪族アルコール又は各脂肪族アルコールが、１５から１９から選択された、或いは１５から１９の範囲の炭素鎖長を有することを特徴とする、ステンレススチールクリーニング組成物。
【請求項７】
請求項２から６のいずれか１項に記載のステンレススチールクリーニング組成物において、前記脂肪族アルコールが、ココナッツ油、パーム核油及び鯨油を具える群より誘導されることを特徴とする、ステンレススチールクリーニング組成物。
【請求項８】
請求項２から７のいずれか１項に記載のステンレススチールクリーニング組成物において、前記分岐脂肪酸が、１から５の範囲の分岐を含む炭素を含むことを特徴とする、ステンレススチールクリーニング組成物。
【請求項９】
請求項８に記載のステンレススチールクリーニング組成物において、分岐を含む３つの炭素があることを特徴とする、ステンレススチールクリーニング組成物。
【請求項１０】
請求項９に記載のステンレススチールクリーニング組成物において、前記分岐が、同数の炭素原子を含むことを特徴とする、ステンレススチールクリーニング組成物。
【請求項１１】
請求項２から１０のいずれか１項に記載のステンレススチールクリーニング組成物において、前記分岐脂肪酸のいずれかの分子の総炭素原子数が、６から１２の範囲であることを特徴とする、ステンレススチールクリーニング組成物。
【請求項１２】
請求項１１に記載のステンレススチールクリーニング組成物において、前記範囲が、７から９であることを特徴とする、ステンレススチールクリーニング組成物。
【請求項１３】
請求項１から１２のいずれか１項に記載のクリーニング組成物において、前記分岐エステルが、セトアリール（又はセトステアリル）イソナノエートであることを特徴とする、クリーニング組成物。
【請求項１４】
請求項１３に記載のクリーニング組成物において、前記組成物が、９０から９９％ｗ／ｗの範囲のセトアリールイソナノエートを具えることを特徴とする、クリーニング組成物。
【請求項１５】
請求項１４に記載のクリーニング組成物において、前記組成物が、９８％ｗ／ｗの範囲のセトアリールイソナノエートを具えることを特徴とする、クリーニング組成物。
【請求項１６】
請求項１３又は１４に記載のクリーニング組成物において、クリーニング組成物が、９７．８％ｗ／ｗの範囲のセトアリールイソナノエートを具えることを特徴とする、クリーニング組成物。
【請求項１７】
請求項１又は３に記載のクリーニング組成物において、前記有機溶質が、１から１０％ｗ／ｗの範囲であることを特徴とする、クリーニング組成物。
【請求項１８】
請求項１７に記載のクリーニング組成物において、前記有機溶質が、実質的に２％ｗ／ｗであることを特徴とする、クリーニング組成物。
【請求項１９】
請求項１７又は１８に記載のクリーニング組成物において、前記有機溶質が、レモンの皮から圧搾した油を具えることを特徴とする、クリーニング組成物。
【請求項２０】
請求項１７から１９のいずれか１項に記載のクリーニング組成物において、前記有機溶質が、Ｄ−リモネンであることを特徴とする、クリーニング組成物。
【請求項２１】
請求項１から２０のいずれか１項に記載のクリーニング組成物において、前記クリーニング組成物が、更に添加有機保存料を具えることを特徴とする、クリーニング組成物。
【請求項２２】
請求項２１に記載のクリーニング組成物において、前記保存料が、溶媒混合物に溶解した０．２％ｗ／ｗのグライダントを具えることを特徴とする、クリーニング組成物。
【請求項２３】
請求項２２に記載のクリーニング組成物において、前記グライダントが、１，３−ジヒドロキシメチル  ５，５−ジメチルヒダントイン；１−ヒドロキシメチル−５，５−ジメチルヒダントイン；５，５−ジメチルヒダントイン；３−イオド−２−プロピニルブチルカルバメート（３−Ｉｏｄｏ−２−ｐｒｏｐｙｎｌ  ｂｕｔｙｌ  ｃａｒｂａｍａｔｅ）及び１，３−ブチレングリコールを具える群から選択できることを特徴とする、クリーニング組成物。
【請求項２４】
請求項１から２３に記載のクリーニング組成物において、前記組成物が、有機溶媒を含むことを特徴とする、クリーニング組成物。
【請求項２５】
請求項２４に記載のクリーニング組成物において、前記有機溶媒が、ホルムアルデヒド及び水であることを特徴とする、クリーニング組成物。
【請求項２６】
クリーニングステンレススチール用クリーニング組成物の製造用分岐エステル及び有機溶媒の使用。
【請求項２７】
請求項２６に記載の使用において、前記分岐エステルが、分岐脂肪酸及び多くの脂肪族アルコールから誘導されることを特徴とする、使用。
【請求項２８】
請求項２６又は２７に記載の使用において、前記脂肪族アルコール又は各脂肪族アルコールが、５から２５の範囲の炭素鎖長を有する直鎖アルコールであることを特徴とする、使用。
【請求項２９】
請求項２８に記載の使用において、前記脂肪族アルコール又は各脂肪族アルコールが、１５から１９の範囲から選択された炭素鎖を有することを特徴とする、使用。
【請求項３０】
請求項２７から２９のいずれか１項に記載の使用において、前記脂肪族アルコールが、ココナッツ油、パーム核油及び鯨油を具える群から誘導されることを特徴とする、使用。
【請求項３１】
請求項２７から３０のいずれか１項に記載の使用において、前記分岐脂肪酸が、１から５の範囲の分岐を含む炭素を含むことを特徴とする、使用。
【請求項３２】
請求項３１に記載の使用において、分岐を含む３つの炭素があることを特徴とする、使用。
【請求項３３】
請求項３２に記載の使用において、前記分岐が、同数の炭素原子を含むことを特徴とする、使用。
【請求項３４】
請求項２７から３３のいずれか１項に記載の使用において、前記分岐脂肪酸のいずれの分子の総炭素原子数が、６から１２の範囲であることを特徴とする、使用。
【請求項３５】
請求項３４に記載の使用において、前記範囲が、７から９であることを特徴とする、使用。
【請求項３６】
請求項２６から３５のいずれか１項に記載の使用において、前記分岐エステルが、セトアリール（セトステアリル）イソナノエートであることを特徴とする、使用。
【請求項３７】
請求項３６に記載の使用において、前記セトアリール（セトステアリル）イソナノエートが、登録商標セチオールＳＮによって商業的に知られている製品の形状であることを特徴とする、使用。
【請求項３８】
請求項３６又は３７に記載の使用において、前記組成物が、９０から９９％ｗ／ｗの範囲のセトアリールイソナノエートであることを特徴とする、使用。
【請求項３９】
請求項３６から３８のいずれか１項に記載の使用において、前記組成物が、９８％ｗ／ｗの範囲のセトアリールイソナノエートを具えることを特徴とする、使用。
【請求項４０】
請求項３９に記載の使用において、前記クリーニング組成物が、９７．８％ｗ／ｗの範囲のセトアリールイソナノエートを具えることを特徴とする、使用。
【請求項４１】
請求項２６から４０のいずれか１項に記載の使用において、前記クリーニング組成物が、１から１０％ｗ／ｗの範囲の有機溶質を具えることを特徴とする、使用。
【請求項４２】
請求項４１に記載の使用において、前記クリーニング組成物が、実質的に２％ｗ／ｗである有機溶質を具えることを特徴とする、使用。
【請求項４３】
請求項４１又は請求項４２に記載の使用において、前記有機溶質が、柑橘類の果実から圧搾した油を具えることを特徴とする、使用。
【請求項４４】
請求項４３に記載の使用において、前記柑橘類の果実が、レモンであることを特徴とする、使用。
【請求項４５】
請求項４１から４４のいずれか１項に記載の使用において、前記有機溶質が、Ｄ−リモネンであることを特徴とする、使用。
【請求項４６】
請求項２６から４５のいずれか１項に記載の使用において、前記クリーニング組成物が、更に添加有機保存料を具えることを特徴とする、使用。
【請求項４７】
請求項４６に記載の使用において、前記保存料が、溶媒混合物に溶解した０．２％ｗ／ｗのグライダントを具えることを特徴とする、使用。
【請求項４８】
請求項４７に記載の使用において、前記グライダントが、１，３−ジヒドロキシメチル  ５，５−ジメチルヒダントイン；１−ヒドロキシメチル  ５，５−ジメチルヒダントイン；５，５−ジメチルヒダントイン；３−イオド−２−プロピニルブチルカルバメート（３−Ｉｏｄｏ−２−ｐｒｏｐｙｎｌ  ｂｕｔｙｌ  ｃａｒｂａｍａｔｅ）及び１，３−ブチレングリコールを具える群から選択できることを特徴とする、使用。
【請求項４９】
請求項２６から４８に記載の使用において、有機溶媒が存在することを特徴とする、使用。
【請求項５０】
請求項４９に記載の使用において、前記有機溶媒が、ホルムアルデヒド及び水であることを特徴とする、使用。
【請求項５１】
請求項４７から５０のいずれか１項に記載の使用において、前記又は各グライダントの量ｗ／ｗが、１から７０％の範囲の前記グライダントと溶媒混合剤の配合から選択されることを特徴とする、使用。
【請求項５２】
請求項４８に記載の使用において、３−イオド−２−プロピニルブチルカルバメート（３−Ｉｏｄｏ−２−ｐｒｏｐｙｎｌ  ｂｕｔｙｌ  ｃａｒｂａｍａｔｅ）が、１．８から２．７％ｗ／ｗの範囲で使用されることを特徴とする、使用。
【請求項５３】
請求項４８に記載の使用において、１，３−ブチレングリコールが、３．３から４．９％ｗ／ｗの範囲で使用されることを特徴とする、使用。
【請求項５４】
請求項５０に記載の使用において、前記ホルムアルデヒドが、０．１５から０．２５％ｗ／ｗの範囲で使用されることを特徴とする、使用。
【請求項５５】
ステンレススチールワイプにおいて、請求項１又は請求項２に記載された前記組成物を含浸したフレキシブル基板を具えることを特徴とする、ステンレススチールワイプ。
【請求項５６】
請求項５０に記載の使用において、前記水が、２０から２５％ｗ／ｗの範囲で使用されることを特徴とする、使用。
【請求項５７】
請求項５６に記載のワイプにおいて、前記ワイプが、２つの表面を有し、基板表面の１方又は両方の表面積の５から６０％の範囲が、前記組成物で占められていることを特徴とする、ワイプ。
【請求項５８】
請求項５７に記載のワイプにおいて、前記範囲が３０から５０％であることを特徴とする、ワイプ。
【請求項５９】
本明細書に記載された組成物を使用する物質の表面をクリーニングする方法において：
前記表面に前記組成物を塗布するステップと、
前記表面に対して前記クリーニング組成物に実質的に強く圧力及び摩擦を与えるステップと、
前記表面から前記クリーニング組成物を除去するステップと、
を具えることを特徴とする、方法。
【請求項６０】
請求項５９に記載の方法において、前記クリーニング組成物が、圧縮ガスコンテナ内に含まれており、当該コンテナのノズルを作動させることによって前記表面に塗布されることを特徴とする、方法。
【請求項６１】
請求項５９又は６０に記載の方法において、前記クリーニング組成物を、布又はワイプ上に含浸させ、従って、上で要点を述べた前記最初の２つのステップの方法を併用することができることを特徴とする、方法。
【発明の詳細な説明】
【技術分野】
【０００１】
本発明の分野
本発明は、クリーニング組成物、特に、ステンレススチールに使用するクリーニング組成物に限らないクリーニング組成物に関し、加えて、本発明は、材料の表面に前記クリーニング組成物を塗布する種々の方法に関する。
【０００２】
本発明の背景
セラミックス及び金属等の材料からグリース、錆又は汚れをきれいにし、又は除去し、従って、これらの材料の光沢を取り戻すことができるようにする国内及び工業的必要性がある。
【０００３】
本発明は、いくつかの異なる態様で具体化されるが、これらの各態様は、連関しているので、同じ発明の概念の一部を形成するように関連していることが、この極めて広い背景概要から明らかである。
【０００４】
目的
従って、本発明の目的は、簡単ではあるが効果的な方法で、上記の必要性に対する解決策を提供する、少なくともいくつかの方法を示すこと、又は公衆に有効な選択を少なくとも提供することである。
【０００５】
本発明の記載
本発明の第１の態様によれば、分岐エステル及び有機溶質を具えるクリーニング組成物が提供される。
【０００６】
本発明の第２の態様によれば、脂肪族アルコールと分岐脂肪酸のエステルを具えるステンレススチールクリーニング組成物が提供される。
【０００７】
好ましくは、このステンレススチールクリーニング組成物は、更に溶質を具える。この分岐エステルは、分岐アルコール及び直鎖脂肪酸から誘導することができるが、好ましくは、このエステルは分岐脂肪酸及び多くの脂肪族アルコールから誘導される。
【０００８】
疑義を避けるために、本明細書における用語「から誘導される」は、入手が容易であり、容易に作られる分岐エステルの前駆体を含むことを意図しており、例えば酸が酸ハロゲン化物であってよい。
【０００９】
好ましくは、前記脂肪族アルコール又は各脂肪族アルコールは、５から２５の範囲の炭素鎖長を有する直鎖アルコールである。親液鎖（ｌｙｐｏｐｈｉｌｌｉｃ  ｃｈａｉｎ）は、きれいにする表面のグリースやその他の多くのタイプの有機材料と結びつき、きれいにするのがより容易であるため、このことは特に有効である。
【００１０】
より好ましくは、前記脂肪族アルコール又は各脂肪族アルコールは、１５から１９から選択された、又は１５から１９の範囲の炭素鎖長を有する。
【００１１】
更により好ましくは、脂肪族アルコールは、ココナッツ油、パーム核油及び鯨油を具える群から誘導される。
【００１２】
好ましくは、分岐脂肪酸は、１から５の範囲の分岐を含む炭素を含む。
【００１３】
より好ましくは、分岐を含む３つの炭素がある。
【００１４】
より好ましくは、この分岐は同数の炭素原子を含む。
【００１５】
好ましくは、分岐脂肪酸の分子中の炭素原子の総数が、６から１２の範囲である。
【００１６】
より好ましくは、この範囲は７から９である。
【００１７】
好ましくは、前記分岐エステルは、セトアリール（又はセトステアリル）イソナノエートである。
【００１８】
好ましくは、前記組成物は、９０から９９％ｗ／ｗの範囲のセトアリールイソナノエートを具える。
【００１９】
より好ましくは、前記組成物は、９８％ｗ／ｗの範囲のセトアリールイソナノエートを具える。
【００２０】
更により好ましくは、前記クリーニング組成物は、９７．８％ｗ／ｗの範囲のセトアリールイソナノエートを具える。
【００２１】
好ましくは、前記クリーニング組成物は、１から１０％ｗ／ｗの範囲の有機溶質を具える。
【００２２】
より好ましくは、前記クリーニング組成物は、実質的に２％ｗ／ｗである有機溶質を具える。
【００２３】
好ましくは、前記有機溶質は、レモンの皮から圧搾した油を具える。
【００２４】
好ましくは、前記有機溶質は、Ｄ−リモネンである。
【００２５】
好ましくは、前記クリーニング組成物は、添加有機保存料を更に具える。
【００２６】
より好ましくは、前記保存料は溶媒混合物に溶解した０．２％ｗ／ｗのグライダントを具える。
【００２７】
更により好ましくは、このグライダントは、１，３−ジヒドロキシメチル  ５，５−ジメチルヒダントイン；１−ヒドロキシメチル−５，５−ジメチルヒダントイン；５，５−ジメチルヒダントイン；３−イオド−２−プロピニルブチルカルバメート（３−Ｉｏｄｏ−２−ｐｒｏｐｙｎｌ  ｂｕｔｙｌ  ｃａｒｂａｍａｔｅ）及び１，３−ブチレングリコールを具える群から選択されてよい。
【００２８】
好ましくは、前記有機溶媒は、ホルムアルデヒド及び水である。
本発明の第３の態様によれば、クリーニングステンレススチール用クリーニング組成物の製造用分岐エステル及び有機溶媒の使用が提供されている。好ましくは、この分岐エステルは、分岐脂肪酸及び多くの脂肪族アルコールから誘導される。
【００２９】
好ましくは、前記脂肪族アルコール又は各脂肪族アルコールは、５から２５の範囲の炭素鎖長を有する直鎖アルコールである。
【００３０】
より好ましくは、前記脂肪族アルコール又は各脂肪族アルコールは、１５から１９から選択された、又は１５から１９の範囲の炭素鎖長を有する。
【００３１】
更により好ましくは、前記脂肪族アルコールは、ココナッツ油、パーム核油及び鯨油を具える群から誘導される。
【００３２】
好ましくは、前記分岐脂肪酸は、１から５の範囲の分岐を含む炭素を含む。
【００３３】
より好ましくは、分岐を含む３つの炭素がある。
【００３４】
より好ましくは、前記分岐は、同数の炭素原子を含む。
【００３５】
好ましくは、前記分岐脂肪酸の分子中の炭素原子の総数が、６から１２の範囲である。
【００３６】
より好ましくは、この範囲は７から９である。
【００３７】
好ましくは、前記分岐エステルは、セトアリール（又はセトステアリル）イソナノエートである。
【００３８】
更により好ましくは、前記セトアリール（又はセトステアリル）イソナノエートは、登録商標セチオールＳＮによって商業的に知られている製造物の形である。
【００３９】
好ましくは、前記組成物は、９０から９９％ｗ／ｗの範囲のセトアリールイソナノエートを具える。
【００４０】
より好ましくは、前記組成物は、９８％ｗ／ｗの範囲のセトアリールイソナノエートを具える。
【００４１】
更により好ましくは、前記クリーニング組成物は９７．８％ｗ／ｗの範囲のセトアリールイソナノエートを具える。
【００４２】
好ましくは、前記クリーニング組成物は、１から１０％ｗ／ｗの範囲の有機溶質を具える。
【００４３】
より好ましくは、前記クリーニング組成物は、実質的に２％ｗ／ｗである有機溶質を具える。
【００４４】
好ましくは、前記有機溶質は、柑橘類の果実から圧搾した油を具える。
【００４５】
好ましくは、前記有機溶質は、レモンの皮から圧搾した油を具える。
【００４６】
好ましくは、前記有機溶質は、Ｄ−リモネンである。
【００４７】
好ましくは、前記クリーニング組成物は、添加有機保存料を更に具える。
【００４８】
より好ましくは、前記保存料は溶媒混合物に溶解した０．２％ｗ／ｗのグライダントを具える。
【００４９】
更により好ましくは、このグライダントは、１，３−ジヒドロキシメチル  ５，５−ジメチルヒダントイン；１−ヒドロキシメチル  ５，５−ジメチルヒダントイン；５，５−ジメチルヒダントイン；３−イオド−２−プロピニルブチルカルバメート（３−Ｉｏｄｏ−２−ｐｒｏｐｙｎｌ  ｂｕｔｙｌ  ｃａｒｂａｍａｔｅ）及び１，３−ブチレングリコールを具える群から選択されてよい。
【００５０】
好ましくは、前記有機溶媒は、ホルムアルデヒド及び水である。
【００５１】
前記グライダント又は各グライダントの量ｗ／ｗは、１から７０％ｗ／ｗの範囲のグライダントと溶媒混合物の配合から選択できる。
【００５２】
好ましくは、３−イオド−２−プロピニルブチルカルバメート（３−Ｉｏｄｏ−２−ｐｒｏｐｙｎｌ  ｂｕｔｙｌ  ｃａｒｂａｍａｔｅ）は、１．８から２．７％ｗ／ｗの範囲で使用される。
【００５３】
好ましくは、１，３−ブチレングリコールは、３．３から４．９％ｗ／ｗの範囲で使用される。
【００５４】
好ましくは、前記ホルムアルデヒドは、０．１５から０．２５％ｗ／ｗの範囲で使用される。
【００５５】
好ましくは、前記水は２０から２５％ｗ／ｗの範囲で使用される。
【００５６】
本発明の更なる態様によれば、本発明の第１の記載による組成物を含浸したフレキシブル基板を具えるステンレススチールワイプが提供される。
【００５７】
好ましくは、前記基板表面の一方又は両方の基質表面の表面積の５から６０％の範囲が、組成物で占められている。
【００５８】
より好ましくは、この範囲は３０から５０％である。
【００５９】
更なる態様によれば、本発明は：
表面に組成物を塗布するステップと、
前記表面に向けて前記クリーニング組成物に実質的に強く圧力及び摩擦を与えるステップと、
前記表面から前記クリーニング組成物を除去するステップと、
を具える本明細書に記載の組成物を使用した物質の表面をきれいにする方法である。
【００６０】
好ましくは、前記クリーニング組成物は、圧縮ガス容器内に入っており、容器のノズルを作動させることによって、前記表面に塗布される。
【００６１】
好ましくは、前記組成物を布又はワイプ上に含浸させ、これによって、上で要点を述べた方法の最初の２つのステップの方法を併用が可能となる。
【００６２】
また、本発明は、本出願の明細書で、個別に或いはまとめて、参照又は示唆される部分、要素及び特徴にあり、また、いずれか２つ又はそれ以上の部分、要素又は特徴のいずれかの又は全ての組み合わせにある。本明細書では、既知の等価を有する特定の整数が記載されており、このような等価性は、あたかも個別に述べているかのように本明細書に組み込まれると考えられる。
【００６３】
また、本発明は、以下に例示する前述した構想の構成から成る。
【００６４】
好ましい実施例の記載
本発明は、ステンレススチール表面のクリーニングに好適なクリーニング組成物を具える。
【００６５】
第１のクリーニング組成物は、レモンの皮の天然油の形状をした有機溶媒と混合したセチオールＳＮの形状をしたセトアリールイソナノエートを具える。このように形成したクリーニング組成物は、特に表面が金属光沢のあるものである場合、表面上の錆及び／又はグリース及び／又は汚れ及び／又はなんらかの汚染物質を除去するのに、特に効果的である。
【００６６】
有機溶質であるＤ−リモネンは、独特のレモン風味と香気を有する黄色い油であり、少量で存在する場合であっても、それ自体でクリーニング剤として働き、また、曇り止め剤としても働く。このクリーニング剤は、また、芳香のある組成物を提供する。
【００６７】
このクリーニング組成物は、実質的に１から１０％ｗ／ｗの範囲の溶質を具えるが、実質的に２％ｗ／ｗの有機溶質が、最も満足できる結果をもたらすことが分かった。組成を例１に示す。
【００６８】
第２の好ましい実施例の組成は、例２に与えられており、読者は、等しい重量／重量の多成分から形成したグライダント組成物を含むことが分かるであろう。
【００６９】
保存料の詳細は表３で見ることができる。
【００７０】
例１
本発明のクリーニング組成物についての好ましい組成は、次の通りである：実質的に９８％ｗ／ｗのセチオールＳＮと、実質的に２％ｗ／ｗのＤ−リモネン。
【００７１】
例２
本発明のクリーニング組成物についての、別の好ましい組成は、次の通りである：実質的に９７．８％ｗ／ｗのセチオールＳＮ；実質的に２％ｗ／ｗのＤ−リモネンと（グライダント及び溶媒混合物に対して）７０％全ｗ／ｗの任意の組み合わせの１，３−ジヒドロキシメチル  ５，５−ジメチルヒダントイン；１−ヒドロキシメチル−Ｘ，Ｘ−ジメチルヒダントイン及び５，５−ジメチルヒダントイン；更に、３−イオド−２−プロピニルブチルカルバメート（３−Ｉｏｄｏ−２−ｐｒｏｐｙｎｌ  ｂｕｔｙｌ  ｃａｒｂａｍａｔｅ）が（グライダント溶媒混合物の）２．５％ｗ／ｗであり、１，３−ブチレングリコールが（グライダント溶媒混合物の）４．５％ｗ／ｗであり、ホルムアルデヒドが（グライダント溶媒混合物の）０．１９％ｗ／ｗであり、前記水が残りのｗ／ｗ％を埋める。
【００７２】
例３
本発明のクリーニング組成物についての、別の好ましい組成は、次の通りである：実質的に９８．５％ｗ／ｗのセチオールＳＮと、グリーンレモン４８５２の形態の１．５％ｗ／ｗの香料。
その他の例は、これに含まれている研究段階の間に実施した。
【００７３】
例４
実質的に９８．５％ｗ／ｗの、鉱油（Ｆｉｎａｖｅｓｔａｎ  Ａ８０Ｂ）と、グリーンレモン４８５２＆の形態の１．５％ｗ／ｗ香料。
【００７４】
例５
実質的に９８％ｗ／ｗの、鉱油（Ｆｉｎａｖｅｓｔａｎ  Ａ８０Ｂ）と２％ｗ／ｗのＤ−レモネン。
【００７５】
クリーニング組成物は、セチオールＳＮの有機溶質Ｄ−リモネンを混合するステップと、溶解するステップとを含む方法によって、最もよく調整される。
【００７６】
これは、クリーンドライ混合容器内にセチオールＳＮを入れて、Ｄ−リモネンを滴下して加え、次いで同様の方法で、グライダント溶媒混合物にグライダントを溶解させた。
【００７７】
グライダント溶媒混合物に溶解したＤ−リモネン及びグライダントを一度溶解させ、この混合物を瓶詰めできるようにする。
【００７８】
汚染した金属表面の光沢を元に戻す方法は、この表面にクリーニング組成物を塗布するステップと、クリーニング組成物を含む表面に、雑巾、ティッシュペーパー又は布で、圧力及び摩擦をしっかり与えるステップと、次いでこの表面からクリーニング組成物を実質的に除去するステップと、を具える。
【００７９】
本発明の好ましいクリーニング組成物は、ステンレススチール及びクロム等の金属表面の光沢を取り戻すのに特によく作用する。しかしながら、銅磁器、その他の金属、金属合金及び登録商標「Ｔｅｆｌｏｎ」によって商業的に知られているフッ化物等の、その他の滑らかな表面をきれいにすることもできる。
【００８０】
また、ユーザは、刃物類、シンク、洗面台及び浴槽の表面に塗布した場合に、このクリーニング組成物が効果的であることが分かる。このクリーニング組成物が生分解性であるということに注目すべきである。
【００８１】
本発明のクリーニング組成物のどちらの実施例も、圧縮ガス容器に詰めることができる。従って、このクリーニング組成物を表面にスプレィして、均一な散布を行うことができる。
【００８２】
代替的に、このクリーニング組成物は、布やワイプに含浸させることができ、この布やワイプは、恐らく取り外すことができる表面シートを含んでおり、「使える状態の」布又はワイプを表に出すことができる。
【００８３】
利点
少なくとも、本発明の好ましい形態では、クリーニング組成物は、次の利点が提供される：
【００８４】
１．グリース、汚れ又はしみ、特に石けんかす及びシャワ及びシャワヘッド、セラミックス、及びガラスのしみの効果的な除去。但し、後者の場合ではワイプ又は基板に塗布する組成物の量は５から１５％の範囲である。
【００８５】
２．表面の光沢や輝きの効果的回復。
【００８６】
３．簡単且つ容易な使用及び製造。
【００８７】
４．柑橘類の果実、好ましくはレモンの心地よい香りを与えること。
【００８８】
本明細書の記載及び特許請求の範囲を通して、用語「具える（ｃｏｍｐｒｉｓｅ）」及び「具える（ｃｏｍｐｒｉｓｅｓ）」及び「具える（ｃｏｍｐｒｉｓｉｎｇ）」等の、この用語の変形は、その他の添加物、成分、整数又は工程を除外することを目的とはしていない。
【国際調査報告】
2008502784.tif 000002
2008502784.tif 000003